(57)【特許請求の範囲】
【請求項１】
真空配管用フランジの全周を均一に締め付けて連結するための、着脱が自在にできる締め付け用ノブ付きクランプにおいて、金属製プレートをヒンジ構造で、上記フランジの外周に沿うように配置し、途中に数個のクランプクロウを取り付け、また両端にクランプブロックを取り付けて、締め付け用ノブを備えたネジを回すことにより、真空配管用フランジを均一に締め付けたり緩めたりすることができるようにしたことを特徴とする真空配管のフランジ用クランプ。
【請求項２】
締め付け用ノブを備えたネジを回して金属製プレートの張力を強めることにより、クランプブロックおよびクランプクロウが配管の軸芯に向かって上記フランジを締め付ける構造において、クランプの両端に位置するクランプブロックに対して円筒形のネジ受けと円筒形のナットとがそれぞれ回転できる構造とし、クランプブロックが平行移動しない場合に締め付け用ノブ付きネジの中間部で折り曲げるような力が発生することがなく、締め付け用ノブ付きネジの回転力が有効に金属製プレートを締め付ける張力に変換されるようにした請求項１に記載の真空配管のフランジ用クランプ。
【発明の詳細な説明】
【０００１】
【発明の属する技術分野】
この発明は、真空配管用フランジの全周を均一に締め付けて連結するための、着脱が自在にできる真空配管の締め付け用ノブ付きフランジ用クランプに関するものである。
【０００２】
【従来の技術】
従来、真空配管系の接続に使用するクランプは、フランジの全周を均一に締め付けるようになっているが、ワンタッチで着脱が可能で、かつベローズ部分のような動きのある箇所に固定する手段がなかった。そのためにフランジの固定に当たっては手間と時間がかかり、作業性が悪いという欠点があった。
【０００３】
上記欠点を解消するため、実公平７−２５５０８号公報に記載された真空系統配管のフランジ用クランプが提案されている。この真空配管のフランジ用クランプは、フランジを固定するための複数のコ字状のクランプブロックと、クランプブロックの両側壁に回転自在に軸着され、各クランプブロック間をジョイントピンを介して連結する左右一対のジョイントプレートと、両端のクランプブロック間を連結する締め付け用ノブ付きネジとを備えたものである。
【０００４】
【発明が解決しようとする課題】
しかしながら、上記実公平７−２５５０８号公報に記載された真空系統配管のフランジ用クランプにおいては、各クランプブロック間を、その側面にジョイントピンを介して軸着した左右一対のジョイントプレートにより連結している。
【０００５】
したがって、フランジを固定しているクランプブロックが破損すると、各クランプブロック間をジョイントピンを介して連結している左右一対のジョイントプレートを、ジョイントピンを外して分解しなければならない。そして、別のクランプブロックを用意した上、その側面に左右一対のジョイントプレートをジョイントピンを介して連結するという面倒な作業が要求されてしまう。
【０００６】
さらに、上記実公平７−２５５０８号公報に記載された真空系統配管のフランジ用クランプにおいては、各クランプブロック間をジョイントピンを介して左右一対のジョイントプレートにより連結している。すなわち、各クランプブロックにジョイントピンを軸着して左右一対のジョイントプレートを連結するためのスペースが必要となり、各クランプブロックが大きくなってしまって重くなり、取扱いが非常に面倒であるという欠点があった。
【０００７】
そこでこの発明においては、クランプブロックを小型化して全体を軽量化可能にするとともに、組み立て分解を容易とした真空配管のフランジ用クランプを提供しようとするものであり、フランジを固定しているクランプブロックが破損しても、クランプブロックのみを取り換えることができる真空配管のフランジ用クランプを提供しようとするものである。
【０００８】
【課題を解決するための手段】
前記の課題を解決するためこの発明の真空配管のフランジ用クランプは、真空配管用フランジの全周を均一に締め付けて連結するための、着脱が自在にできる締め付け用ノブ付きクランプにおいて、金属製プレートをヒンジ構造で、上記フランジの外周に沿うように配置し、途中に数個のクランプクロウを取り付け、また両端にクランプブロックを取り付けて、締め付け用ノブを備えたネジを回すことにより、真空配管用フランジを均一に締め付けたり緩めたりすることができるようにしたことを特徴とするものである。
【０００９】
また、この発明の真空配管のフランジ用クランプは、上記締め付け用ノブを備えたネジを回して金属製プレートの張力を強めることにより、クランプブロックおよびクランプクロウが配管の軸芯に向かって上記フランジを締め付ける構造において、クランプの両端に位置するクランプブロックに対して円筒形のネジ受けと円筒形のナットとがそれぞれ回転できる構造とし、クランプブロックが平行移動しない場合に締め付け用ノブ付きネジの中間部で折り曲げるような力が発生することがなく、締め付け用ノブ付きネジの回転力が有効に金属製プレートを締め付ける張力に変換されるようにしたことをも特徴とするものである。
【００１０】
この発明の真空配管のフランジ用クランプによれば上述の構造を採用したことにより、下記に列記する効果を奏するものとなった。
Ａ）両端のクランプブロックは、締め付け用ノブを備えたネジを回すことによって簡単に取り付けもしくは取り外すことができる。
Ｂ）クランプクロウが小型化できるため、フランジ用クランプ全体を軽量化することができる。
Ｃ）各クランプブロック間を、その側面の縦断面に沿ってジョイントピンを介して軸着した左右一対のジョイントプレートにより連結する従来のフランジ用クランプに比べ、真空配管のフランジの外周部分で接線方向に沿って金属製プレートを連結するようにしたので、特にフランジの厚さ方向の寸法をコンパクトにすることができる。
【００１１】
【発明の実施の形態】
以下図面を参照して、この発明の真空配管のフランジ用クランプの実施の形態について詳細に説明する。図１はこの発明に係る真空配管のフランジ用クランプの全体構成を示す正面図、図２はその側面図、図３はその分解側面図、図４はクランプクロウを示し、（ａ）は正面図、（ｂ）は側面図である。
【００１２】
図１ないし図３において、１は真空配管用フランジ４１の全周を均一に締め付けて連結するための、着脱が自在にできる締め付け用ノブ付きクランプである。この締め付け用ノブ付きクランプ１は、金属製プレート２をヒンジ構造で、真空配管用フランジ４１の外周に沿うように配置し、数個のクランプクロウ３を取り付けてある。またその開放端には、それぞれクランプブロック４Ａ，４Ｂが連結してあり、クランプブロック４Ａ，４Ｂに取り付けた、締め付け用ノブ５を備えたボルト（ネジ）６を回すことによって、真空配管用フランジ４１を均一に締め付けたり緩めたりすることができるようになっている。
【００１３】
すなわち上記金属製プレート２は複数用意され、真空配管用フランジ４１の外周部分でその接線方向に沿って連結されている。図では金属製プレート２は、真空配管用フランジ４１の底部に位置し、両端に凸または凹のヒンジ部７を設けた平滑な底部プレート２Ａと、真空配管用フランジ４１の側面に位置し、両端に凸または凹のヒンジ部７を設けるとともに、両端部側をそれぞれ２段に屈曲させて形成したクランプクロウ３の取付部８を設けた、左右一対の側部プレート２Ｂと、真空配管用フランジ４１の斜め上部に位置し、一端に凸または凹のヒンジ部７を設けた、左右一対の上部プレート２Ｃとで構成されている。９はヒンジ部７に挿通して回転自在に保持する連結ピンである。
【００１４】
そして、側部プレート２Ｂのクランプクロウ３の取付部８および上部プレート２Ｃの他端にはそれぞれ取付孔１０が形成されており、クランプクロウ３を固定するリベット１１およびクランプブロック４Ａ，４Ｂを固定するハトメ１２がそれぞれ挿通される。
【００１５】
上記一対のクランプブロック４Ａ，４Ｂは、それぞれＵ字状の軸受部２１と、軸受部２１から下向きに垂設したクロウ部２２と、軸受部２１から斜め下向きに垂設した連結片２３とを備えており、連結片２３には上部プレート２Ｃに設けた取付孔１０に対応する取付孔２４が設けられており、上記ハトメ１２が挿通される。
【００１６】
上記一方のクランプブロック４Ａの軸受部２１には、長さ方向に直交するようナット部２６を形成したピンナット２５が、また他方のクランプブロック４Ｂの軸受部２１には、長さ方向に直交するよう挿通孔２８を形成したピン２７が回転自在に取り付けられている。
【００１７】
一対のクランプブロック４Ａ，４Ｂの軸受部２１に取り付けたピン２７およびピンナット２５には、締め付け用ノブ５を備えたボルト６が取り付けられる。すなわち、ボルト６をピン２７の挿通孔２８から差し込んで、ピンナット２５のナット部２６に螺着するのである。図において２９は筒状スペーサ、３０は筒状スペーサ２９と締め付け用ノブ５との間に介在させた平座金、３１はボルト６を抜け止めするためのＥリング、３２はボルト６へ締め付け用ノブ５を固定するための止めネジである。
【００１８】
上記一対のクランプブロック４Ａ，４Ｂのクロウ部２２は、図３のようにほぼＵ字状に形成されており、真空配管用フランジ４１の幅方向の両側を挟み付ける構造となっている。
【００１９】
また、図４（ａ）および（ｂ）に示すように、上記左右一対の側部プレート２Ｂの取付部８に固定したクランプクロウ３も、上記クロウ部２２と同様に、ほぼＵ字状に形成されており、真空配管用フランジ４１の幅方向の両側を挟み付ける構造となっている。このクランプクロウ３の他端には、上述のように側部プレート２Ｂの取付部８に設けた取付孔１０を介してリベット１１が圧入され、側部プレート２Ｂに固定される。
【００２０】
以上の構造を備えた真空配管のフランジ用クランプは、締め付け用ノブ５でボルト６を回せば、上記一対のクランプブロック４Ａ，４Ｂ間の間隔が狭まり、金属製プレート２の張力が強まるので、各クランプブロック４Ａ，４Ｂのクロウ部２２およびクランプクロウ３が配管の軸芯に向かって真空配管用フランジ４１を締め付ける。
【００２１】
その際、締め付け用ノブ付きクランプ１の両端に位置するクランプブロック４Ａ，４Ｂに取り付けたピンナット２５およびピン２７は、それぞれクランプブロック４Ａ，４Ｂに対して回転可能に軸着されているので、クランプブロック４Ａ，４Ｂの間隔が狭まったり広がったりする際に平行移動しない場合でも、ボルト６の中間部で折り曲げるような力が発生することがなく、締め付け用ノブ５を備えたボルト６の回転力が有効に金属製プレート２を締め付ける張力に変換される。
【００２２】
上記実施例においては、次のような作用効果を奏することができる。
ａ）ＩＳＯ規格呼び径ＮＷ８０およびＮＷ１００の真空配管に適合する製品を提供することができる。
ｂ）クランプクロウ３の数やヒンジの数には特に制限がない。
ｃ）着脱があまり頻繁でないときは、締め付け用ノブ５の部分を直接ボルト６の頭部とすることにより、さらに全体をコンパクトにすることができる。
ｄ）上記各部品の材質をすべてステンレス製とすることができるが、場合によってはステンレス部品とアルミニウム部品の組み合わせ、また一部の部品をさらにエンジニアリングプラスチック製とすることができる。
【００２３】
【発明の効果】
この発明の真空配管のフランジ用クランプによれば上述の構造を採用したことにより、下記に列記する効果を奏するものとなった。
Ａ）両端のクランプブロックは、締め付け用ノブを備えたネジを回すことによって簡単に取り付けもしくは取り外すことができる。
Ｂ）クランプクロウが小型化できるため、フランジ用クランプ全体を軽量化することができる。
Ｃ）各クランプブロック間を、その側面の縦断面に沿ってジョイントピンを介して軸着した左右一対のジョイントプレートにより連結する従来のフランジ用クランプに比べ、真空配管のフランジの外周部分で接線方向に沿って金属製プレートを連結するようにしたので、特にフランジの厚さ方向の寸法をコンパクトにすることができる。
【図面の簡単な説明】
【図１】この発明に係る真空配管のフランジ用クランプの全体構成を示す正面図である。
【図２】その側面図である。
【図３】その分解側面図である。
【図４】クランプクロウを示し、（ａ）は正面図、（ｂ）は側面図である。
【符号の説明】
１  締め付け用ノブ付きクランプ
２  金属製プレート
２Ａ  底部プレート
２Ｂ  側部プレート
２Ｃ  上部プレート
３  クランプクロウ
４Ａ，４Ｂ  クランプブロック
５  締め付け用ノブ
６  ボルト（ネジ）
７  ヒンジ部
８  取付部
９  連結ピン
１０  取付孔
１１  リベット
１２  ハトメ
２１  軸受部
２２  クロウ部
２３  連結片
２４  取付孔
２５  ピンナット
２６  ナット部
２７  ピン
２８  挿通孔
２９  筒状スペーサ
３０  平座金
３１  Ｅリング
３２  止めネジ
４１  真空配管用フランジ
【図１】
0004234850.tif 000002
【図２】
0004234850.tif 000003
【図３】
0004234850.tif 000004
【図４】
0004234850.tif 000005